【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
目標の対象の画像を取り込むように構成された画像センサと、
ネットワーク化モジュールと、
制御モジュールと
を備える画像取込みデバイスであって、
前記ネットワーク化モジュールは前記目標の対象の近傍で少なくとも１つの照光デバイスを検出するように構成され、ここにおいて前記少なくとも１つの照光デバイスはネットワーク環境の一部である
ことを特徴とし、前記画像取込みデバイスは、
最適な照明設定を計算するように構成された計算モジュール
によって特徴付けられ、
前記制御モジュールは前記最適な照明設定に従って前記少なくとも１つの照光デバイスを調整するように構成される
ことを特徴とする、画像取込みデバイス。
【請求項２】
少なくとも１つのパラメータが前記少なくとも１つの照光デバイスと関連付けされている、請求項１に記載の画像取込みデバイス。
【請求項３】
前記少なくとも１つのパラメータは、前記少なくとも１つの照光デバイスに関する輝度、電球のタイプまたは箇所のうちの１つである、請求項２に記載の画像取込みデバイス。
【請求項４】
前記ネットワーク化モジュールは近接ベースのピアツーピアネットワークに対するワイヤレスネットワーク接続を備える、請求項１に記載の画像取込みデバイス。
【請求項５】
画像取込みの方法であって、
画像取込みデバイスにおいて目標の対象のプレビュー画像データを受け取ることと、
前記目標の対象の局所的環境内の少なくとも１つの光源の少なくとも１つのパラメータを表すデータを受け取ることと、
前記目標の対象に関する最適な照明パラメータを計算することと、
前記最適な照明パラメータに従って前記少なくとも１つの光源の前記少なくとも１つのパラメータを調整することと、
画像を取り込むことと、
を備える方法。
【請求項６】
最適な照明パラメータを計算することは、
前記画像取込みデバイスのユーザインターフェース上で前記少なくとも１つの光源の前記少なくとも１つのパラメータをユーザに対して提示することと、
前記少なくとも１つのパラメータの設定に関するユーザ入力を受け取ることと、
を備える、請求項５に記載の方法。
【請求項７】
最適な照明パラメータを計算することは、前記画像取込みデバイスによって自動式に実行される、請求項５に記載の方法。
【請求項８】
最適な照明パラメータを計算することは、前記目標の対象の箇所を決定することを備える、請求項５に記載の方法。
【請求項９】
前記目標の対象の箇所を決定することは、前記画像取込みデバイスからの前記目標の対象の概略の距離を計算するために前記画像取込みデバイスのオートフォーカスレンズ位置を使用することを備える、請求項８に記載の方法。
【請求項１０】
前記目標の対象の箇所を決定することは、前記目標の対象が動くに従って前記箇所を更新することを備える、請求項８に記載の方法。
【請求項１１】
最適な照明パラメータを計算することは、前記少なくとも１つの光源の箇所を決定することを備える、請求項５に記載の方法。
【請求項１２】
最適な照明パラメータを計算することは、前記少なくとも１つの光源の前記箇所を前記目標の対象の箇所と比較することをさらに備える、請求項１１に記載の方法。
【請求項１３】
前記少なくとも１つの光源の前記少なくとも１つのパラメータを調整することは、前記画像取込みデバイスと前記少なくとも１つの光源の間にある、ワイヤレス通信を介して実行されている、請求項５に記載の方法。
【請求項１４】
前記ワイヤレス通信は前記画像取込みデバイスと接続対応住宅の制御モジュールの間にあり、ここにおいて前記制御モジュールは前記少なくとも１つの光源と通信する、請求項１３に記載の方法。
【請求項１５】
実行されたときにプロセッサに対して、請求項５乃至１４うちのいずれか１項の方法を実行させるコードを備える非一時的コンピュータ読取り可能媒体。
【手続補正２】
【補正対象書類名】明細書
【補正対象項目名】００７５
【補正方法】変更
【補正の内容】
【００７５】
[0079]本明細書に様々な態様および実施形態が開示されているが、他の態様および実施形態については当業者には明らかであろう。本明細書で開示された様々な態様および実施形態は、例示を目的としたものであり、限定とするように意図されたものではない。
以下に、本願出願の当初の特許請求の範囲に記載された発明を付記する。
［Ｃ１］
目標の対象の画像を取り込むように構成された画像センサと、
前記目標の対象の近傍で少なくとも１つの照光デバイスを検出するように構成されたネットワーク化モジュールと、ここにおいて前記少なくとも１つの照光デバイスはネットワーク環境の一部である、
最適な照明設定を計算するように構成された計算モジュールと、
前記最適な照明設定に従って前記少なくとも１つの照光デバイスを調整するように構成された制御モジュールと、を備える画像取込みデバイス。
［Ｃ２］
少なくとも１つのパラメータが前記少なくとも１つの照光デバイスと関連付けされている、Ｃ１に記載の画像取込みデバイス。
［Ｃ３］
前記少なくとも１つのパラメータは、前記少なくとも１つの照光デバイスに関する輝度、電球のタイプまたは箇所のうちの１つである、Ｃ２に記載の画像取込みデバイス。
［Ｃ４］
前記ネットワーク化モジュールは近接ベースのピアツーピアネットワークに対するワイヤレスネットワーク接続を備える、Ｃ１に記載の画像取込みデバイス。
［Ｃ５］
前記ネットワーク環境は接続対応住宅である、Ｃ１に記載の画像取込みデバイス。
［Ｃ６］
画像取込みの方法であって、
画像取込みデバイスにおいて目標の対象のプレビュー画像データを受け取ることと、
前記目標の対象の局所的環境内の少なくとも１つの光源の少なくとも１つのパラメータを表すデータを受け取ることと、
前記目標の対象に関する最適な照明パラメータを計算することと、
前記最適な照明パラメータに従って前記少なくとも１つの光源の前記少なくとも１つのパラメータを調整することと、
画像を取り込むことと、を備える方法。
［Ｃ７］
最適な照明パラメータを計算することは、
前記画像取込みデバイスのユーザインターフェース上で前記少なくとも１つの光源の前記少なくとも１つのパラメータをユーザに対して提示することと、
前記少なくとも１つのパラメータの設定に関するユーザ入力を受け取ることと、を備える、Ｃ６に記載の方法。
［Ｃ８］
最適な照明パラメータを計算することは、前記画像取込みデバイスによって自動式に実行される、Ｃ６に記載の方法。
［Ｃ９］
最適な照明パラメータを計算することは、前記目標の対象の箇所を決定することを備える、Ｃ６に記載の方法。
［Ｃ１０］
前記目標の対象の箇所を決定することは、前記画像取込みデバイスからの前記目標の対象の概略の距離を計算するために前記画像取込みデバイスのオートフォーカスレンズ位置を使用することを備える、Ｃ９に記載の方法。
［Ｃ１１］
前記目標の対象の箇所を決定することは、前記目標の対象が動くに従って前記箇所を更新することを備える、Ｃ９に記載の方法。
［Ｃ１２］
最適な照明パラメータを計算することは、前記少なくとも１つの光源の箇所を決定することを備える、Ｃ６に記載の方法。
［Ｃ１３］
最適な照明パラメータを計算することは、前記少なくとも１つの光源の前記箇所を前記目標の対象の箇所と比較することをさらに備える、Ｃ１２に記載の方法。
［Ｃ１４］
前記少なくとも１つの光源の前記少なくとも１つのパラメータを調整することは、ネットワークを経由したワイヤレス通信を介して実行されている、Ｃ６に記載の方法。
［Ｃ１５］
前記ワイヤレス通信は、前記画像取込みデバイスと前記少なくとも１つの光源の間にある、Ｃ１４に記載の方法。
［Ｃ１６］
前記ワイヤレス通信は前記画像取込みデバイスと接続対応住宅の制御モジュールの間にあり、ここにおいて前記制御モジュールは前記少なくとも１つの光源と通信する、Ｃ１４に記載の方法。
［Ｃ１７］
画像取込みのためのシステムであって、
環境内のデバイスのネットワークを提供するための手段と、
前記環境内の少なくとも１つの光源の少なくとも１つのパラメータを表すデータを受け取るための手段と、
前記環境内の目標の対象の最適な照明パラメータを計算するための手段と、
前記最適な照明パラメータをマッチングさせるために前記少なくとも１つの光源の前記少なくとも１つのパラメータを調整するための手段と、
前記目標の対象の画像を取り込むための手段と、を備えるシステム。
［Ｃ１８］
最適な照明パラメータを計算するための前記手段は、前記少なくとも１つのパラメータをユーザに対して表示するためのユーザインターフェースを備えており、ここにおいて前記ユーザインターフェースは前記ユーザに対して前記少なくとも１つのパラメータの現時の設定の制御を可能にするように構成されている、Ｃ１７に記載のシステム。
［Ｃ１９］
最適な照明パラメータを計算するための前記手段は、画像取込みデバイスの照明設定計算モジュールを備える、Ｃ１７に記載のシステム。
［Ｃ２０］
前記照明設定計算モジュールは、少なくともその一部で前記目標の対象の箇所と前記少なくとも１つの光源の前記少なくとも１つのパラメータとに基づいて前記最適な照明パラメータを計算する、Ｃ１９に記載のシステム。
［Ｃ２１］
実行されたときにプロセッサに対して、
撮像デバイスをネットワークに接続することと、
前記ネットワーク接続された少なくとも１つの光源の少なくとも１つのパラメータを表すデータを取り出すことと、ここにおいて前記少なくとも１つの光源は目標の対象を照らしている、
前記目標の対象の最適な照明パラメータを計算することと、
前記最適な照明パラメータに従って前記少なくとも１つの光源の前記少なくとも１つのパラメータを調整することと、
画像を取り込むことと、からなる方法を実行させるコードを備える非一時的コンピュータ読取り可能媒体。
［Ｃ２２］
最適な照明パラメータを計算することは、少なくともその一部で前記目標の対象の箇所と前記少なくとも１つの光源の前記少なくとも１つのパラメータとに基づく、Ｃ２１に記載の非一時的コンピュータ読取り可能媒体。
［Ｃ２３］
最適な照明パラメータを計算することは、前記目標の対象の箇所を決定することを備える、Ｃ２１に記載の非一時的コンピュータ読取り可能媒体。
［Ｃ２４］
前記目標の対象の箇所を決定することは、前記画像取込みデバイスからの前記目標の対象の概略の距離を計算するために前記画像取込みデバイスのオートフォーカスレンズ位置を使用することを備える、Ｃ２３に記載の非一時的コンピュータ読取り可能媒体。
［Ｃ２５］
前記目標の対象の箇所を決定することは、前記目標の対象が動くに従って前記箇所を更新することを備える、Ｃ２３に記載の非一時的コンピュータ読取り可能媒体。
［Ｃ２６］
前記少なくとも１つの光源の前記少なくとも１つのパラメータを調整することは、前記ネットワークを経由したワイヤレス通信を介して実行されている、Ｃ２１に記載の非一時的コンピュータ読取り可能媒体。